(57)【要約】【課題】コストや重量の増加を抑えつつ、防火性能を確保することができる建具を提供する。【解決手段】建具１０は、上框３６ａ、下框３６ｂ、戸先框３６ｃ及び召合せ框３６ｄ，３６ｅを有する框体３６で面材３８を保持した障子１４，１５を開口枠１２で少なくとも１つ以上スライド可能に支持した構成である。建具１０は、召合せ框３６ｄの金属召合せ框４０ｄには、内部に補強材６８が挿入された中空部６６が設けられ、戸先框３６ｃの金属戸先框４０ｃには、少なくとも室外側見付け面９２ａを形成する室外側壁部９２の板厚ｔ１が、召合せ框３６ｄの中空部６６を形成する壁部の板厚ｔ２よりも厚い中空部６２が設けられている。【選択図】図４
2018059332.tif 000002
【特許請求の範囲】
【請求項１】
上框、下框、戸先框及び召合せ框を有する框体で面材を保持した障子を開口枠で少なくとも１つ以上スライド可能に支持した建具であって、
前記召合せ框には、内部に補強材が挿入された第１中空部が設けられ、
前記戸先框には、少なくとも室外側見付け面を形成する室外側壁部の板厚が、前記召合せ框の第１中空部を形成する壁部の板厚よりも厚い第２中空部が設けられていることを特徴とする建具。
【請求項２】
請求項１記載の建具において、
前記戸先框の第２中空部は、前記面材を保持する開口溝の一部を形成する開口側壁部の板厚が、前記召合せ框の第１中空部を形成する壁部の板厚よりも厚いことを特徴とする建具。
【請求項３】
請求項１又は２記載の建具において、
前記戸先框の第２中空部には、補強材が挿入されていないことを特徴とする建具。
【請求項４】
請求項１〜３のいずれか１項に記載の建具において、
前記上框には、少なくとも室外側見付け面を形成する室外側壁部の板厚が、前記召合せ框の第１中空部を形成する壁部の板厚よりも厚い第３中空部が設けられ、
前記下框には、少なくとも室外側見付け面を形成する室外側壁部の板厚が、前記召合せ框の第１中空部を形成する壁部の板厚よりも厚い第４中空部が設けられていることを特徴とする建具。
【請求項５】
請求項４記載の建具において、
前記上框の第３中空部及び前記下框の第４中空部には、補強材が挿入されていないことを特徴とする建具。
【請求項６】
請求項１〜５のいずれか１項に記載の建具において、
前記召合せ框には、前記第１中空部の室内側に並んで第５中空部が設けられると共に、前記第１中空部の一壁部が前記面材を保持する開口溝を形成しており、
前記第５中空部には、補強材が挿入されていないことを特徴とする建具。
【請求項７】
請求項１〜６のいずれか１項に記載の建具において、
前記開口枠の上枠は、前記障子側となる内側見込み面の反対側に中空部を有することを特徴とする建具。
【請求項８】
請求項７記載の建具において、
前記上枠は、前記内側見込み面に前記障子を案内するレールが突出形成されており、
前記中空部の内部は、前記レールの延長線上に設けられた支柱壁によって複数の空間に仕切られていることを特徴とする建具。
【請求項９】
上框、下框、戸先框及び召合せ框を有する框体で面材を保持した障子を開口枠で少なくとも１つ以上スライド可能に支持した建具であって、
前記召合せ框には、内部に補強材が挿入された中空部が設けられ、
前記上框には、少なくとも室外側見付け面を形成する室外側壁部の板厚が、前記召合せ框の中空部を形成する壁部の板厚よりも厚い中空部が設けられていることを特徴とする建具。
【請求項１０】
上框、下框、戸先框及び召合せ框を有する框体で面材を保持した障子を開口枠で少なくとも１つ以上スライド可能に支持した建具であって、
前記召合せ框には、内部に補強材が挿入された中空部が設けられ、
前記下框には、少なくとも室外側見付け面を形成する室外側壁部の板厚が、前記召合せ框の中空部を形成する壁部の板厚よりも厚い中空部が設けられていることを特徴とする建具。
【発明の詳細な説明】
【技術分野】
【０００１】
本発明は、障子を開口枠でスライド可能に支持した建具に関する。
【背景技術】
【０００２】
建物の窓に用いられる建具では、アルミニウム等の金属框材で構成した框体でガラス板を保持した障子を用いた構成がある。また、アルミニウム等の金属框材の室内側に塩化ビニル樹脂等の樹脂框材を装着した框体でガラス板を保持した障子を用いた構成もある。この種の建具としては、例えば開口枠で障子をスライド可能に配設した引違い窓がある。
【０００３】
特許文献１には、金属框材の室内側に樹脂框材を装着した框体でガラス板を保持した障子を備えた建具が開示されている。この構成では、上框、下框、戸先框及び召合せ框の各中空部に補強材を挿入している。
【先行技術文献】
【特許文献】
【０００４】
【特許文献１】特許第４０７２４２１号公報
【発明の概要】
【発明が解決しようとする課題】
【０００５】
一般に、上記のような補強材はスチールやステンレス等の金属で構成される。すなわち、上記特許文献１の構成では、上下左右の全ての框材の中空部に補強材を挿入しているため、建具が火災等の火炎や熱を受けた際の防火強度を確保できる。ところが、この構成では全ての框材に補強材を挿入しているため、障子の重量が増加し、さらに補強材の追加分のコストや工数が増加するといった問題がある。
【０００６】
本発明は、上記従来技術の課題を考慮してなされたものであり、コストや重量の増加を抑えつつ、防火性能を確保することができる建具を提供することを目的とする。
【課題を解決するための手段】
【０００７】
本発明に係る建具は、上框、下框、戸先框及び召合せ框を有する框体で面材を保持した障子を開口枠で少なくとも１つ以上スライド可能に支持した建具であって、前記召合せ框には、内部に補強材が挿入された第１中空部が設けられ、前記戸先框には、少なくとも室外側見付け面を形成する室外側壁部の板厚が、前記召合せ框の第１中空部を形成する壁部の板厚よりも厚い第２中空部が設けられていることを特徴とする。
【０００８】
このような構成によれば、当該建具は、召合せ框の第１中空部に補強材を挿入しているため、開口枠による支持のない召合せ框での防火強度を確保できる。さらに建具は、戸先框の第２中空部を形成する壁部のうちの少なくとも室外側壁部の板厚を召合せ框の中空部を形成する壁部の板厚よりも厚く設定している。つまり戸先框は厚肉構造を有する。これにより、戸先框は、中空部に補強材を挿入しなくても或いは軽量且つ薄肉の最小限の補強材を挿入するだけで十分な防火強度を確保できる。従って、当該建具では、框体やこれを用いた障子のコストや重量の増加を抑えつつ、防火性能を確保することができる。
【０００９】
本発明に係る建具において、前記戸先框の第２中空部は、前記面材を保持する開口溝の一部を形成する開口側壁部の板厚が、前記召合せ框の第１中空部を形成する壁部の板厚よりも厚い構成であってもよい。そうすると、当該建具は、戸先框での面材の保持に対する防火強度を一層高めることができる。
【００１０】
本発明に係る建具において、前記戸先框の第２中空部には、補強材が挿入されていない構成であってもよい。そうすると、框体や障子のコストや重量を一層低減できる。
【００１１】
本発明に係る建具において、前記上框には、少なくとも室外側見付け面を形成する室外側壁部の板厚が、前記召合せ框の第１中空部を形成する壁部の板厚よりも厚い第３中空部が設けられ、前記下框には、少なくとも室外側見付け面を形成する室外側壁部の板厚が、前記召合せ框の第１中空部を形成する壁部の板厚よりも厚い第４中空部が設けられた構成であってもよい。そうすると、当該建具は、上框及び下框についても厚肉構造となる。これにより、上框及び下框は、その第３、第４中空部に補強材を挿入しなくても或いは軽量且つ薄肉の最小限の補強材を挿入するだけで十分な防火強度を確保できる。
【００１２】
本発明に係る建具において、前記上框の第３中空部及び前記下框の第４中空部には、補強材が挿入されていない構成であってもよい。そうすると、框体や障子のコストや重量を一層低減できる。
【００１３】
本発明に係る建具において、前記召合せ框には、前記第１中空部の室内側に並んで第５中空部が設けられると共に、前記第１中空部の一壁部が前記面材を保持する開口溝を形成しており、前記第５中空部には、補強材が挿入されていない構成であってもよい。そうすると、当該建具は面材を保持する開口溝を形成する室外側の第１中空部に十分な防火強度を確保できる。一方、当該建具は防火強度等に対する影響が少ない室内側の第５中空部には補強材を挿入しないことで、強度とコスト、重量とのバランスを図ることができる。
【００１４】
本発明に係る建具において、前記開口枠の上枠は、前記障子側となる内側見込み面の反対側に中空部を有する構成であってもよい。そうすると、当該建具は、火炎、熱或いは日射の影響を中空部で緩和することができ、障子を支持する上枠の内側見込み面側に損傷を生じることを抑制できる。
【００１５】
本発明に係る建具において、前記上枠は、前記内側見込み面に前記障子を案内するレールが突出形成されており、前記中空部の内部は、前記レールの延長線上に設けられた支柱壁によって複数の空間に仕切られた構成であってもよい。そうすると、当該建具は、火災時等の障子の熱伸びを支柱壁によって抑えることができる。その結果、上枠と障子の間に隙間が発生しにくくなり、防火強度が一層向上する。
【００１６】
本発明に係る建具は、上框、下框、戸先框及び召合せ框を有する框体で面材を保持した障子を開口枠で少なくとも１つ以上スライド可能に支持した建具であって、前記召合せ框には、内部に補強材が挿入された中空部が設けられ、前記上框には、少なくとも室外側見付け面を形成する室外側壁部の板厚が、前記召合せ框の中空部を形成する壁部の板厚よりも厚い中空部が設けられていることを特徴とする。このような構成によれば、上框は、中空部に補強材を挿入しなくても或いは軽量且つ薄肉の最小限の補強材を挿入するだけで十分な防火強度を確保できる。従って、当該建具では、框体やこれを用いた障子のコストや重量の増加を抑えつつ、防火性能を確保することができる。
【００１７】
本発明に係る建具は、上框、下框、戸先框及び召合せ框を有する框体で面材を保持した障子を開口枠で少なくとも１つ以上スライド可能に支持した建具であって、前記召合せ框には、内部に補強材が挿入された中空部が設けられ、前記下框には、少なくとも室外側見付け面を形成する室外側壁部の板厚が、前記召合せ框の中空部を形成する壁部の板厚よりも厚い中空部が設けられていることを特徴とする。このような構成によれば、下框は、中空部に補強材を挿入しなくても或いは軽量且つ薄肉の最小限の補強材を挿入するだけで十分な防火強度を確保できる。従って、当該建具では、框体やこれを用いた障子のコストや重量の増加を抑えつつ、防火性能を確保することができる。
【発明の効果】
【００１８】
本発明によれば、框体やこれを用いた障子のコストや重量の増加を抑えつつ、防火性能を確保することができる。
【図面の簡単な説明】
【００１９】
【図１】図１は、本発明の一実施形態に係る建具の縦断面図である。
【図２】図２は、図１に示す建具の横断面図である。
【図３】図３は、上框及び下框の構成図であり、図３（Ａ）は、上枠及び上框の周辺を拡大した縦断面図であり、図３（Ｂ）は、下枠及び下框の周辺を拡大した縦断面図である。
【図４】図４は、戸先框及び召合せ框の構成図であり、図４（Ａ）は、縦枠及び戸先框の周辺を拡大した横断面図であり、図４（Ｂ）は、各障子の召合せ框の周辺を拡大した横断面図である。
【発明を実施するための形態】
【００２０】
以下、本発明に係る建具について好適な実施の形態を挙げ、添付の図面を参照しながら詳細に説明する。
【００２１】
図１は、本発明の一実施形態に係る建具１０の縦断面図である。図２は、図１に示す建具１０の横断面図である。
【００２２】
図１及び図２に示すように、建具１０は、建物躯体の開口部に固定される開口枠１２と、開口枠１２の開口部１３にスライド可能に配設された左右一対の障子１４，１５とを備える。本実施形態では、障子１４，１５をスライドさせることにより開口枠１２の内側の開口部１３を開閉可能な引違い窓の建具１０を例示する。障子１４，１５は一方が開口枠１２にはめ殺され、他方のみがスライドする片引き窓でもよい。障子の設置枚数は適宜変更可能である。
【００２３】
開口枠１２は、上枠１２ａと、下枠１２ｂと、左右の縦枠１２ｃ，１２ｄとを四周枠組みすることで矩形の開口部を形成したものである。開口枠１２は、室外側に配設される金属枠材１６と、室内側に配設される樹脂枠材１８とを組み合わせた複合構造の枠体である。金属枠材１６は、アルミニウム等の金属の押出形材である。樹脂枠材１８は、塩化ビニル樹脂（ＰＶＣ）等の樹脂の押出形材である。
【００２４】
本出願において、見込み方向とは建具１０の室内外方向（図中に矢印Ｚで示す方向）をいい、見込み面とは見込み方向に沿って延在する面をいう。見付け方向とは見込み方向に直交する方向であり、上下方向に長尺な縦枠１２ｃ，１２ｄ等の場合はその長手方向に直交する左右方向（図中に矢印Ｘで示す方向）をいい、左右方向に長尺な上枠１２ａ及び下枠１２ｂ等の場合はその長手方向に直交する上下方向（図中に矢印Ｙで示す方向）をいう。見付け面とは見付け方向に沿った面をいう。開口枠１２の内側（内周）とは障子１４が配置される開口部１３側の部分をいい、開口枠１２の外側（外周）とは開口部１３側とは反対側の部分をいう。
【００２５】
上枠１２ａは、金属枠材１６の金属上枠１６ａに樹脂枠材１８の樹脂上枠１８ａを装着したものである。下枠１２ｂは、金属枠材１６の金属下枠１６ｂに樹脂枠材１８の樹脂下枠１８ｂ及び樹脂下枠カバー１８ｃを装着したものである。縦枠１２ｃ，１２ｄは、それぞれ金属枠材１６の金属縦枠１６ｃ，１６ｄに樹脂枠材１８の樹脂縦枠１８ｃ，１８ｄを装着したものである。開口枠１２は、くぎやねじ等の固定具２０を用いて建物躯体に固定される。
【００２６】
図１に示すように、上枠１２ａの内側見込み面２１には、レール２２，２３が見込み方向に並んで突出形成されている。レール２２は、外障子となる室外側の障子１４をスライド可能に案内するガイド条である。レール２３は、内障子となる室内側の障子１５をスライド可能に案内するガイド条である。レール２２，２３は上枠１２ａの長手方向全長に亘って延在し、内向きに突出している。レール２２，２３間であって障子１４，１５の召合せ部分に対応する位置には、室内外の気密性を保持するための風止板２４が設けられている。内側見込み面２１には、風止板２４の見付け方向側部となる位置に熱膨張性部材２５が設けられている。熱膨張性部材２５は、例えば加熱されると発泡して膨張する黒鉛等の加熱発泡材である。
【００２７】
金属上枠１６ａは、内側見込み面２１の反対側に中空部２６を有する。中空部２６は、金属上枠１６ａの室外側端部からレール２３付近まで見込み方向に延在するように設けられている。中空部２６の内部は、室外側のレール２２の延長線上に設けられた支柱壁２６ａによって２室に仕切られている。つまり支柱壁２６ａとレール２２は、見込み方向位置が一致している。
【００２８】
下枠１２ｂの内側見込み面には、レール２８，２９が見込み方向に並んで突出形成されている。レール２８は、障子１４をスライド可能に案内するガイド条である。レール２９は、障子１５をスライド可能に案内するガイド条である。レール２８，２９は下枠１２ｂの長手方向全長に亘って延在し、内向きに突出している。下枠１２ｂにも風止板２４及び熱膨張性部材２５が設けられている。
【００２９】
下枠１２ｂの金属下枠１６ｂには、中空部３０が設けられている。中空部３０は、金属下枠１６ｂの室外側端部からレール２９付近まで見込み方向に延在するように設けられている。中空部３０には、補強材３１が挿入されている。補強材３１は、例えば中空部３０の全長の半分より少し長い長さである。補強材３１は、ステンレスやスチール等の不燃性又は難燃性を有する金属板を略コ字状に屈曲形成したものである。補強材３１は、図１中でコ字の上辺となる内側板部３１ａがねじ３５によって金属下枠１６ｂに締結固定されている。
【００３０】
補強材３１は、図１中でコ字の下辺となる外側板部３１ｂの下面（外面）に、見込み方向に並んだ２つの突起３７を有する。室外側の突起３７は、外側板部３１ｂと上下方向の板部との角部に設けられている。室内側の突起３７は、外側板部３１ｂの略中央に設けられている。図１に示すように、本実施形態の場合、下枠１２ｂの金属下枠１６ｂの中空部３０の外側見込み面（下面）を形成する壁部４１には、室内側に向かって上方に傾斜した傾斜面４１ａを設けている。このため、中空部３０への挿入時に補強材３１が図１中で反時計方向に転んでねじ３５の締結作業の作業性が低下することがある。また外側板部３１ｂは、その室内側端部と傾斜面４１ａとの間の隙間よりも室外側端部と壁部４１との間の隙間が大きい。このため、外側板部３１ｂはその室内側端部に壁部４１（傾斜面４１ａ）からの荷重が集中し、また室外側端部付近の変形量が室内側端部付近の変形量よりも大きくなり、補強材３１の変形や下枠１２ｂの転びや変形を生じる懸念がある。そこで、本実施形態では、補強材３１の外側板部３１ｂに突起３７を設け、補強材３１や下枠１２ｂの変形等の不具合の発生を防止している。突起３７の設置数や設置位置は適宜変更可能である。
【００３１】
補強材３１は、外側板部３１ｂの内面に２層の熱膨張性部材２５が設けられている。補強材３１の内面に設ける熱膨張性部材２５は、１層又は３層以上でもよい。
【００３２】
図２に示すように、縦枠１２ｃの内側見込み面には、閉じた障子１４に対応する位置にヒレ部３２が突出形成されている。縦枠１２ｄの見込み面には、閉じた障子１５に対応する位置にヒレ部３３が突出形成されている。ヒレ部３２，３３は、縦枠１２ｃ，１２ｄの長手方向全長に亘って延在し、内向きに突出している。
【００３３】
図１及び図２に示すように、開口枠１２の室外側端部には、網戸装置３４が設けられている。網戸装置３４は、枠状に構成した網戸框３４ａの内側開口部に網３４ｂを保持したものである。網戸装置３４は、開口枠１２の開口部１３にスライド可能に配設されている。
【００３４】
図１及び図２に示すように、室外側の障子１４は、四周を囲む框体３６となる上框３６ａ、下框３６ｂ、戸先框３６ｃ及び召合せ框３６ｄと、内側に配置される面材３８とを框組みして構成したものである。
【００３５】
面材３８は、スペーサ３９を介して一対のガラス板３８ａ，３８ｂを間隔を隔てて対面配置した２層の複層ガラスである。本実施形態の場合、室外側に配置されるガラス板３８ａは厚板ガラス、網入りガラス又は耐熱強化ガラスとし、室内側に配置されるガラス板３８ｂは薄板のフロートガラスとしている。
【００３６】
框体３６は、室外側に配設される金属框材４０と、室内側に配設される樹脂框材４２とを組み合わせた複合構造である。金属框材４０はアルミニウム等の金属の押出形材である。樹脂框材４２は塩化ビニル樹脂（ＰＶＣ）等の樹脂の押出形材である。
【００３７】
上框３６ａは、金属框材４０の金属上框４０ａの室内側見付け面に樹脂框材４２の樹脂上框４２ａを装着したものである。下框３６ｂは、金属框材４０の金属下框４０ｂの室内側見付け面に樹脂框材４２の樹脂下框４２ｂを装着したものである。戸先框３６ｃは、金属框材４０の金属戸先框４０ｃの室内側見付け面に樹脂框材４２の樹脂戸先框４２ｃを装着したものである。召合せ框３６ｄは、金属框材４０の金属召合せ框４０ｄで構成されている。
【００３８】
面材３８は、上縁部が金属上框４０ａと樹脂上框４２ａとの間に保持され、下縁部が金属下框４０ｂと樹脂下框４２ｂとの間に保持される。面材３８は、さらに戸先側縁部が金属戸先框４０ｃと樹脂戸先框４２ｃとの間に保持され、召合せ側縁部が金属召合せ框４０ｄに保持される。
【００３９】
図１に示すように、上框３６ａは、レール２２が摺動可能に挿入されるガイド溝４４を外側見込み面に有し、面材３８が配置される開口溝４６を内側見込み面に有する。ガイド溝４４及び開口溝４６は上框３６ａの全長に亘って延在している。ガイド溝４４と開口溝４６の間には中空部４８が形成されている。ガイド溝４４及び中空部４８は、金属上框４０ａに形成されている。開口溝４６は、金属上框４０ａと樹脂上框４２ａとで構成されている。面材３８は、開口溝４６内でガスケットを介して挟み込み保持される。
【００４０】
下框３６ｂは、レール２８が挿入されるガイド溝５０を外側見込み面に有し、面材３８が配置される開口溝５２を内側見込み面に有する。ガイド溝５０及び開口溝５２は下框３６ｂの全長に亘って延在している。ガイド溝５０と開口溝５２の間には中空部５４が形成されている。ガイド溝５０及び中空部５４は、金属下框４０ｂに形成されている。開口溝５２は、金属下框４０ｂと樹脂下框４２ｂとで構成されている。面材３８は、開口溝５２内でガスケットを介して挟み込み保持される。
【００４１】
金属下框４０ｂには戸車５６が配設されている。戸車５６は、レール２８の先端面上を転動することにより、障子１４を開口枠１２に対して円滑にスライド移動させるローラである。戸車５６は、その大部分が中空部５４内に配置される。戸車５６は、その下側外周縁部が中空部５４の下壁に形成された切欠部を通ってガイド溝５０内に配置され、レール２８の先端面に転動可能に当接する。
【００４２】
図２に示すように、戸先框３６ｃは、保持溝５８を外側見込み面に有し、面材３８が配置される開口溝６０を内側見込み面に有する。保持溝５８及び開口溝６０は戸先框３６ｃの全長に亘って延在している。保持溝５８と開口溝６０の間には中空部６２が形成されている。保持溝５８及び中空部６２は、金属戸先框４０ｃに形成されている。開口溝６０は、金属戸先框４０ｃと樹脂戸先框４２ｃとで構成されている。面材３８は、開口溝６０内でガスケットを介して挟み込み保持される。保持溝５８は、障子１４が閉じられた状態で縦枠１２ｃのヒレ部３２が挿入される部分である。
【００４３】
召合せ框３６ｄは、面材３８が配置される開口溝６４を内側見込み面に有する。開口溝６４は召合せ框３６ｄの全長に亘って延在している。開口溝６４の外側には中空部６６が形成されている。中空部６６及び開口溝６４は、金属召合せ框４０ｄに形成されている。面材３８は、開口溝６４内でガスケットを介して挟み込み保持される。
【００４４】
中空部６６には補強材６８が略全長に亘って挿入されている。補強材６８は、ステンレスやスチール等の金属板を略コ字状に屈曲形成したものである。補強材６８は、不燃性又は難燃性を有する材質であれば金属以外であってもよい。補強材６８は、室内側が開口する向きで配置されている。
【００４５】
図１及び図２に示すように、室内側の障子１５は、上枠１２ａのレール２３と下枠１２ｂのレール２９との間で室外側の障子１４に対して引違いにスライド可能である。この障子１５は、障子１４の召合せ框３６ｄと構成の異なる召合せ框３６ｅを有する以外はほとんど同一構造となっている。そこで、障子１５については、召合せ框３６ｅの構成について具体的に説明し、その他の構成要素については障子１４と同一の参照符号を付して詳細な説明を省略する。
【００４６】
召合せ框３６ｅは、金属框材４０の金属召合せ框４０ｅの室内側見付け面に樹脂框材４２の樹脂召合せ框４２ｅを装着したものである。召合せ框３６ｅは、面材３８が配置される開口溝７０を内側見込み面に有する。開口溝７０は召合せ框３６ｅの全長に亘って延在している。開口溝７０の外側には中空部７２が形成され、中空部７２の室内側には中空部７３が並んで形成されている。中空部７２はその内側見込み面となる壁部が開口溝７０を形成している。また、中空部７３はその室外側見付け面の一部が開口溝７０を形成している。中空部７２，７３は、金属召合せ框４０ｅに形成されている。面材３８は、開口溝７０内でガスケットを介して挟み込み支持される。
【００４７】
室外側の中空部７２には補強材７６が略全長に亘って挿入されている。補強材７６は、補強材６８と同様にステンレスやスチール等の金属板を略コ字状に屈曲形成したものであり、不燃性又は難燃性を有する材質であれば金属以外であってもよい。補強材７６は、室内側が開口する向きで配置されている。
【００４８】
なお、障子１５の召合せ框３６ｅと障子１４の召合せ框３６ｄとの間はクレセント７８によってロック可能であり、これにより障子１４，１５が閉状態に保持される。障子１５の戸先框３６ｃの保持溝５８は、障子１５が閉じられた状態で縦枠１２ｄのヒレ部３３が挿入される部分である。
【００４９】
次に、障子１４，１５の框体３６の具体的な構成を説明する。
【００５０】
図３（Ａ）は、上枠１２ａ及び障子１４の上框３６ａの周辺を拡大した縦断面図であり、図３（Ｂ）は、下枠１２ｂ及び障子１４の下框３６ｂの周辺を拡大した縦断面図である。図４（Ａ）は、縦枠１２ｃ及び障子１４の戸先框３６ｃの周辺を拡大した横断面図であり、図４（Ｂ）は、各障子１４，１５の召合せ框３６ｄ，３６ｅの周辺を拡大した横断面図である。
【００５１】
図３（Ａ）に示すように、障子１４の上框３６ａは、ガイド溝４４の室内側内面に全長に亘る熱膨張性部材２５を設けている。開口溝４６には、断面略Ｌ字状の脱落防止金具８０が設けられている。脱落防止金具８０は、ねじ８１で金属上框４０ａに締結固定されている。脱落防止金具８０は、火災時に樹脂上框４２ａが溶融或いは焼失した際に面材３８を保持し、その脱落を防止するための金具である。脱落防止金具８０は、例えば断面略コ字状の形状であってもよい。脱落防止金具８０の底部表面室内側端部には、脱落防止金具８０の全長に亘る熱膨張性部材２５が設けられている。なお、障子１５の上框３６ａについても、図３（Ａ）に示す障子１４の上框３６ａと同様な構成であるため、同一の参照符号を付して詳細な説明は省略する。
【００５２】
図３（Ｂ）に示すように、障子１４の下框３６ｂは、ガイド溝５０の室内側内面に全長に亘る熱膨張性部材２５が設けられている。中空部５４の室外側内面には、戸車５６に対応する長さの熱膨張性部材２５が設けられている。開口溝５２には、上框３６ａのものと同様な脱落防止金具８０が設けられている。脱落防止金具８０の底部表面室内側端部には、脱落防止金具８０の全長に亘る熱膨張性部材２５が設けられている。脱落防止金具８０の底部表面室外側端部には、セッティングブロック８３（図１参照）に対応する長さの熱膨張性部材２５が設けられている。なお、障子１５の下框３６ｂについても、図３（Ｂ）に示す障子１４の下框３６ｂと同様な構成であるため、同一の参照符号を付して詳細な説明は省略する。
【００５３】
図４（Ａ）に示すように、障子１４の戸先框３６ｃは、保持溝５８の底部に略全長に亘る熱膨張性部材２５が設けられている。中空部６２の室内外側内面には、その上下端部に対して所定長さの熱膨張性部材２５がそれぞれ設けられている。開口溝６０には、断面略コ字状の脱落防止金具８２が設けられている。脱落防止金具８２は、ねじ８１で金属戸先框４０ｃに締結固定されている。脱落防止金具８２は、火災時に樹脂戸先框４２ｃが溶融或いは焼失した際に面材３８を保持し、その脱落を防止するための金具である。脱落防止金具８２の底部表面室内側端部には、脱落防止金具８２の全長に亘る熱膨張性部材２５が設けられている。なお、障子１５の戸先框３６ｃについても、図４（Ａ）に示す障子１４の戸先框３６ｃと同様な構成であるため、同一の参照符号を付して詳細な説明は省略する。
【００５４】
図４（Ｂ）に示すように、障子１４の召合せ框３６ｄは、室内側見付け面に所定長さの熱膨張性部材２５が設けられている。中空部６６に挿入された補強材６８は、コ字状の底部の室内側面に所定長さの熱膨張性部材２５が設けられている。中空部６６の室外側内面には、補強材６８の側部となる位置、つまり召合せ框３６ｄの端部となる位置に所定長さの熱膨張性部材２５が設けられている。中空部６６の室内側内面には、所定長さの熱膨張性部材２５が設けられている。開口溝６４には、戸先框３６ｃのものと同様な断面略コ字状の脱落防止金具８２が設けられている。脱落防止金具８２は、開口溝６４の底壁を通したねじ８１によって補強材６８に締結固定されている。脱落防止金具８２は、例えば断面略Ｌ字状の形状であってもよい。脱落防止金具８２の底部表面室内側端部には、脱落防止金具８２の全長に亘る熱膨張性部材２５が設けられている。開口溝６４の室内側内面には、所定長さの熱膨張性部材２５が設けられている。
【００５５】
障子１５の召合せ框３６ｅは、室外側見付け面に全長に亘る熱膨張性部材２５が設けられている。補強材７６は、金属召合せ框３６ｅに対してねじ８１で締結固定されている。室外側の中空部７２の室内側内面には、補強材７６の側部となる位置、つまり召合せ框３６ｅの端部となる位置に熱膨張性部材２５が設けられている。中空部７２の室内側内面、つまり中空部７２，７３間を仕切る壁部７７には、所定長さの熱膨張性部材２５が設けられている。
【００５６】
図３（Ａ）〜図４（Ｂ）に示すように、召合せ框３６ｄ，３６ｅの中空部６６，７２には補強材６８，７６を設けているが、他の框３６ａ，３６ｂ，３６ｃの中空部４８，５４，６２には補強材が挿入されていない。すなわち、当該建具１０では、開口枠１２によって支持されない召合せ框３６ｄ，３６ｅについては、十分な防火強度と耐風圧強度等に対する強度を確保するため補強材を挿入している。一方、開口枠１２によって支持される他の框３６ａ，３６ｂ，３６ｃについては、一部の壁部を厚肉構造とすることで十分な防火強度を確保している。
【００５７】
具体的には、上框３６ａは、少なくとも中空部４８の室外側見付け面８４ａを形成する金属上框４０ａの室外側壁部８４が厚肉構造となっている（図３（Ａ）参照）。なお、上框３６ａでは、開口溝４６の底部見込み面を形成する底壁部８５と、ガイド溝４４の底部見込み面を形成する底壁部８６についても厚肉構造となっている。本実施形態では、室外側壁部８４と底壁部８５，８６の板厚を同一に設定しており、それぞれ板厚ｔ１となっている。つまり、中空部４８を形成する３方の壁部８４〜８６が厚肉の板厚ｔ１を有する。
【００５８】
下框３６ｂは、少なくとも室外側見付け面８８ａを形成する金属下框４０ｂの室外側壁部８８が厚肉構造となっている（図３（Ｂ）参照）。なお、下框３６ｂでは、開口溝５２の底部見込み面を形成する底壁部８９についても厚肉構造としてもよい。しかしながら、本実施形態では底壁部８９にビスホールを設けているため、この底壁部８９については厚肉構造としていない。室外側壁部８８は、上框３６ａの室外側壁部８４と同一の板厚ｔ１となっている。本実施形態では、金属下框４０ｂの室内側壁部９０についても板厚ｔ１の厚肉構造としている。つまり、中空部５４を形成する２方の壁部８８，９０が厚肉の板厚ｔ１を有する。
【００５９】
戸先框３６ｃは、少なくとも室外側見付け面９２ａを形成する金属戸先框４０ｃの室外側壁部９２が厚肉構造となっている（図４（Ａ）参照）。なお、戸先框３６ｃでは、開口溝６０の底部見込み面を形成する底壁部９３についても厚肉構造となっている。本実施形態では、室外側壁部９２と底壁部９３の板厚を同一に設定しており、それぞれ上框３６ａの室外側壁部８４と同一の板厚ｔ１となっている。つまり、中空部６２を形成する２方の壁部９２，９３が厚肉の板厚ｔ１を有する。
【００６０】
障子１４の召合せ框３６ｄは、その防火強度及び耐風圧強度等を担保するため、中空部６６に補強材６８を挿入している。そこで、中空部６６を形成する各壁部は、板厚ｔ１より薄肉の板厚ｔ２となっている（図４（Ｂ）参照）。換言すれば、召合せ框３６ｄは、補強材６８が挿入されるため、金属召合せ框４０ｄを厚肉に形成する必要がない。具体的には、召合せ框３６ｄは、中空部６６の室外側見付け面７１ａを形成する壁部７１の肉厚が薄い板厚ｔ２とされている。さらに召合せ框３６ｄは、中空部６６の開口溝６４側の内側見込み面を形成する壁部７５、中空部６６の外側見込み面を形成する壁部７９、及び室内側見付け面を形成する壁部８７の肉厚も薄い板厚ｔ２となっている。但し、本実施形態では、タイト材を設けるポケット状凹部を形成する壁部８７については、一部が板厚ｔ２よりも厚肉となっている。
【００６１】
障子１５の召合せ框３６ｅは、その防火強度及び耐風圧強度等を担保するため、室外側の中空部７２に補強材７６を挿入している（図４（Ｂ）参照）。そこで、中空部７２を形成する各壁部は、板厚ｔ１より薄肉の板厚ｔ２となっている。換言すれば、召合せ框３６ｅは、補強材７６が挿入されるため、金属召合せ框４０ｅを厚肉に形成する必要がない。具体的には、召合せ框３６ｅは、中空部７２の開口溝７０側の内側見込み面を形成する壁部９１、中空部７２の外側見込み面を形成する壁部９６、及び壁部７７の肉厚が薄い板厚ｔ２となっている。但し、本実施形態では、熱膨張性部材２５を設けるポケット状凹部を形成する室外側壁部９４については、一部が板厚ｔ２よりも厚肉となっている。
【００６２】
一方、補強材が挿入されない室内側の中空部７３は、金属召合せ框４０ｅの室内側見付け面９５ａを形成する室内側壁部９５が厚肉の板厚ｔ３となっている。中空部７３の他の３方の壁部は、薄肉の板厚ｔ２となっている。なお、室内側の中空部７３は、室外側の中空部７２に補強材７６を挿入しており、また面材３８の保持に直接的に関係しないため、薄肉構造で構成可能である。しかしながら、建具１０が室内側から火炎や熱を受けた場合の中空部７２での防火性能を高めるため、室内側壁部９５を厚肉の板厚ｔ３としている。
【００６３】
この場合、本実施形態に係る建具１０では、召合せ框３６ｄ（３６ｅ）の金属召合せ框４０ｄ（４０ｅ）には、内部に補強材６８（７６）が挿入された中空部（第１中空部）６６（７２）が設けられ、戸先框３６ｃの金属戸先框４０ｃには、少なくとも室外側見付け面９２ａを形成する室外側壁部９２の板厚ｔ１が、召合せ框３６ｄ（３６ｅ）の中空部６６（７２）を形成する壁部７１，７５，７９，８７（７７，９１，９６）の板厚ｔ２よりも厚い中空部（第２中空部）６２が設けられている。
【００６４】
すなわち、建具１０が火炎や熱を受けた場合の面材３８の保持には、縦框である戸先框３６ｃ及び召合せ框３６ｄ（３６ｅ）の防火強度が重要となる。この点、建具１０は、召合せ框３６ｄ（３６ｅ）の中空部６６（７２）に補強材６８（７６）を挿入している。これにより、建具１０は開口枠１２による支持のない召合せ框３６ｄ（３６ｅ）での防火強度を確保できる。さらに建具１０は、戸先框３６ｃの中空部６２を形成する壁部のうちの少なくとも室外側壁部９２の板厚ｔ１を召合せ框３６ｄ（３６ｅ）の中空部６６（７２）を形成する壁部の板厚ｔ２よりも厚く設定している。つまり戸先框３６ｃは厚肉構造を有する。これにより、戸先框３６ｃは、中空部６２に補強材を挿入しなくても或いは軽量且つ薄肉の最小限の補強材を挿入するだけで十分な防火強度を確保できる。従って、建具１０では、框体３６（障子１４，１５）のコストや重量の増加を抑えつつ、防火性能を確保することができる。さらに戸先框３６ｃを厚肉構造としたことで、戸先框３６ｃに対する熱膨張性部材２５の設置数を低減でき、コストを一層低減できる。
【００６５】
なお、中空部６６の壁部７１，７５，７９，８７の肉厚は、このうち１以上の壁部が薄肉の板厚ｔ２で形成されていれば重量やコストの低減効果が得られ、中空部７２の壁部７７，９１，９６についても同様である。また、例えば壁部８７のように一部が厚肉になっている部分もあるが、一部に厚肉部分があった場合であっても壁部８７の大部分が薄肉で構成されていれば重量やコストの増加は限定的となり、十分な効果を得ることができる場合もある。
【００６６】
建具１０では、戸先框３６ｃの中空部６２は、面材３８を保持する開口溝６０を形成する開口側壁部となる底壁部９３の板厚ｔ１が、召合せ框３６ｄ（３６ｅ）の中空部６６（７２）を形成する壁部７１，７５，７９，８７（７７，９１，９６）の板厚ｔ２よりも厚い。これにより、建具１０は、戸先框３６ｃでの面材３８の保持に対する防火強度を一層高めることができる。
【００６７】
上記の通り、建具１０では、戸先框３６ｃを厚肉構造としているため、その中空部６２には、補強材を挿入しなくても十分な防火強度を確保できる。このため、建具１０は大幅な低コスト化と軽量化が可能となる。
【００６８】
建具１０では、上框３６ａの金属上框４０ａには、少なくとも室外側見付け面８４ａを形成する室外側壁部８４の板厚ｔ１が、召合せ框３６ｄ（３６ｅ）の中空部６６（７２）を形成する壁部７１，７５，７９，８７（７７，９１，９６）の板厚ｔ２よりも厚い中空部（第３中空部）４８が設けられている。また、下框３６ｂの金属下框４０ｂには、少なくとも室外側見付け面８８ａを形成する室外側壁部８８の板厚ｔ１が、召合せ框３６ｄ（３６ｅ）の中空部６６（７２）を形成する壁部７１，７５，７９，８７（７７，９１，９６）の板厚ｔ２よりも厚い中空部（第４中空部）５４が設けられている。このように建具１０は、上框３６ａ及び下框３６ｂについても厚肉構造を有する。これにより、上框３６ａ及び下框３６ｂは、中空部４８，５４に補強材を挿入しなくても或いは軽量且つ薄肉の最小限の補強材を挿入するだけで十分な防火強度を確保できる。従って、建具１０では、框体３６（障子１４，１５）のコストや重量の増加を一層抑えつつ、防火性能を確保することができる。さらに上框３６ａ及び下框３６ｂを厚肉構造としたことで、上框３６ａ及び下框３６ｂに対する熱膨張性部材２５の設置数を低減でき、コストを一層低減できる。なお、このような厚肉構造は、必ずしも上框３６ａ、下框３６ｂ及び戸先框３６ｃの全てに設けなくてもよく、その防火仕様等に応じて１以上の框３６ａ〜３６ｃにもうければよい。
【００６９】
建具１０では、召合せ框３６ｅの金属召合せ框４０ｅには、室外側の中空部（第１中空部）７２の室内側に並んで中空部（第５中空部）７３が設けられる。そして、中空部７２の一壁部が面材３８を保持する開口溝７０を形成する一方、中空部７３には、補強材が挿入されていない。すなわち、建具１０の内障子となる障子１５では、室外側の中空部７２が面材３８を保持する開口溝７０を形成するため、十分な防火強度を必要とする。またこの中空部７２は外障子となる障子１４との召合せ部にもなるため、耐風圧等に対する強度も必要となる。一方、室内側の中空部７３は防火強度等に対する影響は少ない。そこで、建具１０では、室外側の中空部７２に補強材７６を挿入する一方、室内側の中空部７３には補強材を挿入せず、強度とコスト、重量とのバランスを図っている。
【００７０】
建具１０では、開口枠１２の上枠１２ａは、障子１４，１５側となる内側見込み面２１の反対側に中空部２６を有する。すなわち中空部２６が上枠１２ａの断熱構造部を形成する。これにより、建具１０は、火炎、熱或いは日射の影響を中空部２６で緩和することができ、障子１４，１５を支持する上枠１２ａの内側見込み面２１側に損傷を生じることを抑制できる。また火災時に上枠１２ａが口開きを生じ、障子１４，１５が脱落することを防止できる。
【００７１】
この場合、上枠１２ａは、その内側見込み面２１に障子１４を案内するレール２２が突出形成されており、中空部２６の内部は、レール２２の延長線上に設けられた支柱壁２６ａによって仕切られている。このように上枠１２ａは、レール２２の延長線上に支柱壁２６ａを有するため、火災時等の障子１４の熱伸びを支柱壁２６ａによって抑えることができる。その結果、上枠１２ａと室外側の障子１４の間に隙間が発生しにくくなり、防火強度が一層向上する。
【００７２】
召合せ框３６ｅでは、室外側の中空部７２に挿入したコ字状の補強材７６を室内側の中空部７３との間を仕切る壁部７７側に開口する向きで配置している。これにより室外側から火炎や熱を受けた際にこれを補強材７６の底部で確実に防ぐことができる。
【００７３】
なお、本発明は、上記した実施形態に限定されるものではなく、本発明の主旨を逸脱しない範囲で自由に変更できることは勿論である。
【００７４】
上記実施形態では、２枚の障子１４，１５を引違い可能に構成した引違い窓を例示したが、建具１０は例えば一方の障子１５を開口枠１２に嵌め殺した片引き窓で構成されてもよい。また建具１０は、３枚以上の障子をスライド可能に設けた引戸で構成されてもよく、この場合は左右両端側の障子の中間となる障子は戸先框を持たない構成となる。
【００７５】
上記実施形態では、開口枠１２及び框体３６をアルミニウムと樹脂の複合構造とした複合サッシを例示したが、当該建具１０は開口枠１２及び框体３６をアルミニウム単独で構成したアルミサッシ等にも適用可能である。
【符号の説明】
【００７６】
１０  建具、１２  開口枠、１２ａ  上枠、１２ｂ  下枠、１２ｃ，１２ｄ  縦枠、１４，１５  障子、１６  金属枠材、１８  樹脂枠材、２１  内側見込み面、２２，２３，２８，２９  レール、２５  熱膨張性部材、２６，３０，４８，５４，６２，６６，７２，７３  中空部、２６ａ  支柱壁、３１，６８，７６  補強材、３６  框体、３６ａ  上框、３６ｂ  下框、３６ｃ  戸先框、３６ｄ，３６ｅ  召合せ框、４０  金属框材、４２  樹脂框材、４４，５０  ガイド溝、４６，５２，６０，６４，７０  開口溝、５８  保持溝、８４，８８，９２，９４  室外側壁部、７１ａ，８４ａ，８８ａ，９２ａ  室外側見付け面、８０，８２  脱落防止金具、８５，８６，８９，９３  底壁部
【図１】
2018059332.tif 000003
【図２】
2018059332.tif 000004
【図３】
2018059332.tif 000005
【図４】
2018059332.tif 000006